(57)【特許請求の範囲】
【請求項１】
紙幣を集積する紙幣集積部と、
前記紙幣集積部内において、前記紙幣が集積され、集積された紙幣の重さに応じて下降するステージと、
前記紙幣集積部の所定位置において、前記ステージに集積された紙幣の有無を光軸の遮光により検知する光学式のセンサと、
前記紙幣集積部に設けられ、前記ステージに集積された紙幣を圧迫するよう動作する集積機構と、
前記集積機構が停止中の場合は、前記ステージに集積された紙幣が前記センサの光軸を遮光しても前記紙幣集積部の空き容量が無いと判断せず、前記集積機構が動作中の場合に、前記ステージに集積された紙幣が前記センサの光軸を一定時間にわたって遮光した場合は、前記紙幣集積部の空き容量が無いと判断する判断部と、
を備える、紙幣処理装置。
【請求項２】
前記判断部は、前記ステージに集積された紙幣の総枚数が所定の規定枚数を超えた場合、前記空き容量の判断を開始する、請求項１に記載の紙幣処理装置。
【請求項３】
前記紙幣集積部は、鑑別装置によって紙幣状態の異常により集積されると膨らんだ状態となる紙幣であると判断された紙幣を集積するリジェクトカセットである、請求項１または２に記載の紙幣処理装置。
【発明の詳細な説明】
【技術分野】
【０００１】
本発明は、紙幣処理装置に関する。
【背景技術】
【０００２】
昨今、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【０００３】
このような自動取引装置は、金種毎に紙幣を集積するための紙幣カセットや、汚損券や折れ紙幣など異常と鑑別された紙幣を集積するためのリジェクトカセットを備える。自動取引装置は、紙幣カセットやリジェクトカセットのような各種カセット（紙幣集積部）の満杯状態を監視し、満杯になった場合はオペレータに通知などを行う。
【０００４】
満杯状態の監視に関する技術としては、例えば、下記特許文献１では、硬貨を金種別に収納する硬貨識別機にニアエンプティセンサおよび満杯センサを設け、各センサの出力値に基づいて紙幣カセットの状態を把握する技術が開示されている。
【先行技術文献】
【特許文献】
【０００５】
【特許文献１】特開２００７−２８６９８１号公報
【発明の概要】
【発明が解決しようとする課題】
【０００６】
しかし、集積される紙幣の状態によっては、紙幣集積部に空き容量があるにも関わらず、満杯またはニア満杯が検知されてしまうという問題があった。
【０００７】
そこで、本発明は、上記問題に鑑みてなされたものであり、本発明の目的とするところは、紙幣集積部の空き容量判断の精度を向上することが可能な、新規かつ改良された紙幣処理装置を提供することにある。
【課題を解決するための手段】
【０００８】
上記課題を解決するために、本発明のある観点によれば、紙幣を集積する紙幣集積部と、前記紙幣集積部内において、前記紙幣が集積され、集積された紙幣の重さに応じて下降するステージと、前記紙幣集積部の所定位置において、前記ステージに集積された紙幣の有無を光軸の遮光により検知する光学式のセンサと、前記紙幣集積部に設けられ、前記ステージに集積された紙幣を圧迫するよう動作する集積機構と、前記集積機構が停止中の場合は、前記ステージに集積された紙幣が前記センサの光軸を遮光しても前記紙幣集積部の空き容量が無いと判断せず、前記集積機構が動作中の場合に、前記ステージに集積された紙幣が前記センサの光軸を一定時間にわたって遮光した場合は、前記紙幣集積部の空き容量が無いと判断する判断部と、を備える紙幣処理装置が提供される。
【００１２】
また、前記判断部は、前記ステージに集積された紙幣の総枚数が所定の規定枚数を超えた場合、前記空き容量の判断を開始してもよい。
【００１３】
また、前記紙幣集積部は、鑑別装置によって紙幣状態の異常により集積されると膨らんだ状態となる紙幣であると判断された紙幣を集積するリジェクトカセットであってもよい。
【発明の効果】
【００１４】
以上説明したように本発明によれば、紙幣集積部の空き容量判断の精度を向上することが可能である。
【図面の簡単な説明】
【００１５】
【図１】本発明の実施形態である自動取引システムの構成を示した説明図である。
【図２】本発明の実施形態による自動取引装置の内部構成を示した説明図である。
【図３】出金取引の流れを示した説明図である。
【図４】出金取引の流れを示した説明図である。
【図５】本発明の実施形態によるリジェクトカセットの概略断面図である。
【図６】ニア満杯の誤検知について説明するための図である。
【図７】本発明の第１の実施形態による自動取引装置のニア満杯判断処理を示すフローチャートである。
【図８】舌片５４停止による集積紙幣１４の高さの変化を説明するための図である。
【図９】本発明の第２の実施形態による自動取引装置の空き容量判断処理を示すフローチャートである。
【図１０】本発明の第２の実施形態による自動取引装置がリジェクトカセットに紙幣が搬送されるときに実行するカウント処理のフローチャートである。
【図１１】ニア満杯センサが遮光状態中にリジェクトカセットに集積される紙幣によって集積紙幣の高さが変化することについて説明するための図である。
【図１２】本発明の第３の実施形態による自動取引装置の空き容量判断処理を示すフローチャートである。
【図１３】リジェクトカセットに集積された紙幣の総枚数が第２の規定枚数を上回った場合におけるニア満杯の誤検知について説明するための図である。
【図１４】本発明の第４の実施形態による自動取引装置の空き容量判断処理を示すフローチャートである。
【図１５】本発明の第４の実施形態による自動取引装置がリジェクトカセットに紙幣が搬送されるときに実行するカウント処理のフローチャートである。
【図１６】リジェクトカセットに集積された紙幣の総枚数が第２の規定枚数を上回った場合におけるニア満杯の誤検知について説明するための図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜１．自動取引システムの概要＞
まず、図１を参照し、本発明の実施形態による自動取引システムの概要を説明する。
【００１８】
図１は、本発明の実施形態である自動取引システムの構成を示した説明図である。図１に示したように、自動取引システムは、複数の自動取引装置１０と、専用網１２と、金融機関ホスト２０と、を含む。
【００１９】
自動取引装置（紙幣処理装置）１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２０】
また、自動取引装置１０は、顧客操作表示部１４と、通帳挿入口１６と、カード挿入口１８と、を備える。顧客操作表示部１４は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置１０において一体的に構成される例を示しているが、表示部および顧客操作部の機能は分離して構成されてもよい。
【００２１】
通帳挿入口１６は顧客の通帳の挿入および排出を行い、カード挿入口１８は顧客のキャッシュカードの挿入および排出を行う。また、接客口１９は、顧客による紙幣の入金口、および顧客への紙幣の出金口としての機能を有する。
【００２２】
専用網１２は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト２０は、この専用網１２を介して自動取引装置１０と通信することができる。
【００２３】
金融機関ホスト２０は、専用網１２を介して自動取引装置１０と通信することにより、各種取引を制御する。例えば、金融機関ホスト２０は、自動取引装置１０を操作する顧客の認証を行ったり、自動取引装置１０において顧客により指示された入金や振込などの金銭取引（勘定の取引処理）を実行したりする。また、金融機関ホスト２０は、口座番号、暗証番号、氏名、住所、年齢、生年月日、電話番号、職業、家族構成、年収、預金残高などの顧客情報（口座の元帳）を管理する。
【００２４】
本発明の実施形態は、上述した自動取引システムに含まれる自動取引装置１０に関し、特に、自動取引装置１０においてリジェクトされた紙幣が集積されるリジェクトカセットの空き容量判断に関する。本明細書において、空き容量とは、カセット内においてまだ紙幣集積が可能な空間である。以下、自動取引装置１０の構成および基本動作を説明した後に、本発明の各実施形態について詳細に説明する。
【００２５】
＜２．自動取引装置１０の構成および基本動作＞
図２は、自動取引装置１０の内部構成を示した説明図である。図２に示したように、自動取引装置１０は、紙幣処理機構１３、制御部１５および記憶部１７を備える。さらに、紙幣処理機構１３は、接客口１９を含む接客部１、鑑別装置２、一時保留部３、紙幣カセット４ａ〜４ｄ、リジェクトカセット５、および搬送路６ａ〜６ｍを備える。
【００２６】
接客部１は、入金取引時に顧客により入金された紙幣を分離したり、出金取引時に顧客に出金する紙幣を集積したりするための構成である。
【００２７】
鑑別装置２は、顧客の入金した紙幣、または顧客に出金する紙幣の鑑別を行う。具体的には、鑑別装置２は、搬送路６を通って搬送された紙幣の金種、真偽、正損および走行状態などを鑑別する。
【００２８】
一時保留部３は、入金取引時に接客部１で分離されて鑑別装置２により正常と鑑別された紙幣を一時的に集積する。一時保留部３に集積された紙幣は、入金した紙幣の口座計上などが確定したなど、取引が成立した場合に鑑別装置２を経て紙幣カセット４ａ〜４ｄなどに搬送される。
【００２９】
紙幣カセット４ａ〜４ｄは、顧客の入金した紙幣、出金するための紙幣、および他の紙幣カセット４から分離された紙幣などを集積する紙幣集積部である。紙幣カセット４ａ〜４ｄは、同一金種のための複数の紙幣カセットを含んでもよい。例えば、紙幣カセット４ａおよび４ｃが一万円札用の紙幣カセットであり、紙幣カセット４ｂおよび４ｄが千円札用の紙幣カセットであってもよい。なお、紙幣カセット４ａ〜４ｄは、紙幣処理機構１３に対して着脱可能な構造になっており、個別に交換することで紙幣カセット４ａ〜４ｄに紙幣を装填することも可能である。
【００３０】
リジェクトカセット５は、集積処理時または出金取引時に鑑別装置２によって異常と鑑別された紙幣（リジェクト紙幣）を集積するための紙幣集積部である。ここで、リジェクトカセット５に集積される紙幣は、出金紙幣として取り扱えない二千円札、五千円札、一万円札および千円札の汚損券、折れ紙幣、スキュー紙幣などの走行異常紙幣である。なお、リジェクトカセット５は、紙幣処理機構１３に対して着脱可能な構造になっており、個別に交換することでリジェクトカセット５の紙幣を回収することも可能である。このようなリジェクトカセット５の詳細については、後述する「リジェクトカセット５」において図５を参照して説明する。
【００３１】
搬送路６ａ〜６ｍは、紙幣を搬送するための構成である。各搬送路６ａ〜６ｍは、制御部１５による制御に従ってＤＣサーボモータまたはパルスモータなどが回転することにより、紙幣を目的の搬送先に搬送することが可能である。また、搬送路６ａ〜６ｅは入金経路を構成し、搬送路６ｂ〜６ｄおよび６ｆ〜６ｌは集積経路を構成し、搬送路６ｂ、６ｃ、６ｅ〜６ｇおよび６ｈ〜６ｋは出金経路を構成する。
【００３２】
制御部１５は、上記の搬送路６ａ〜６ｍを制御することにより、入金、集積、出金および紙幣移動などの基本動作を制御する。各基本動作の詳細については、次の「基本動作」において説明する。
【００３３】
また、本実施形態による制御部１５は、紙幣処理機構１３内の各センサから出力された紙幣の個別情報に基づいて、接客部１、一時保留部３、紙幣カセット４ａ〜４ｄ、リジェクトカセット５等の紙幣集積部における紙幣の分離／集積枚数をカウントするカウント部の機能を有する。制御部１５は、紙幣の分離／集積枚数をカウントすることで自動取引装置１０内に存在する紙幣の有高を管理することができる。
【００３４】
また、本実施形態による制御部１５は、紙幣カセット４ａ〜４ｄ、リジェクトカセット５等の着脱可能な紙幣集積部おける空き容量を判断する判断部の機能を有する。制御部１５は、空き容量の判断結果をオペレータに通知することで、オペレータが紙幣集積部の交換等の対応を行うことが可能になる。
【００３５】
ここで、本実施形態における紙幣集積部には、集積する紙幣を圧迫する集積機構、および紙幣集積部の所定位置における紙幣の有無を検知するセンサ（一例として、満杯／ニア満杯センサ）が設けられている。制御部１５は、集積機構により紙幣が圧迫されている間に満杯／ニア満杯センサから得られた検知結果に基づいて、紙幣集積部の空き容量を判断する。また、制御部１５は、満杯／ニア満杯センサから得られる検知結果と、紙幣集積部に集積される紙幣の枚数に基づいて、紙幣集積部の空き容量を判断してもよい。このような制御部１５による紙幣集積部の空き容量の判断処理については、後述する各実施形態において詳細に説明する。
【００３６】
記憶部１７は、入金／出金取引などで出入りした紙幣の金種や金額の計数結果、自動取引装置１０内の紙幣の有高を保存する。このような記憶部１７は、不揮発性メモリまたは揮発性メモリにより実現される。
【００３７】
また、本実施形態による記憶部１７は、紙幣処理機構１３内の各センサから出力された紙幣の個別情報を保存する。個別情報には、紙幣集積部を出入りした紙幣の情報、紙幣の分離元情報、金種、枚数、紙幣の表裏上下等の向き、走行状態等の情報が含まれる。このような紙幣の個別情報を取得する各センサは、例えば鑑別装置２、および搬送路６ａ〜６ｍに設けられる。
【００３８】
（基本動作）
以上、自動取引装置１０の構成を説明した。続いて、上述した自動取引装置１０による入金取引、集積処理、出金取引および紙幣補充などの基本動作を説明する。
【００３９】
入金取引においては、まず、接客部１から紙幣が１枚ずつ分離され、分離された紙幣は搬送路６ａおよび６ｂを経て鑑別装置２に搬送される。そして、鑑別装置２による鑑別結果が正常であった紙幣は搬送路６ｃおよび６ｄを経て一時保留部３に集積される。一方、鑑別装置２による鑑別結果が正常であった紙幣は搬送路６ｃおよび６ｅを経て接客部１に集積される。その後、顧客により入金金額の確認操作が行われると、集積処理に移行する。
【００４０】
集積処理においては、まず、一時保留部３から紙幣が１枚ずつ分離され、分離された紙幣は搬送路６ｄおよび６ｃを経て鑑別装置２に搬送される。そして、鑑別装置２による鑑別結果が正常であった紙幣は、搬送路６ｂ、６ｆ〜６ｋを経て金種に対応する紙幣カセット４ａ〜４ｄに集積される。一方、一万円札および千円札の汚損券、折れ紙幣、二千円札、五千円札、スキュー紙幣などの走行異常紙幣のように、鑑別装置２による鑑別結果が異常であった紙幣は、搬送路６ｇおよび６ｌを経てリジェクトカセット５に集積される。
【００４１】
紙幣移動においては、まず、紙幣カセット４ａ〜４ｄのうちの移動元の紙幣カセットから紙幣が分離され、分離された紙幣は搬送路６ｇ〜６ｋ、６ｂを経て鑑別装置２に搬送される。そして、鑑別装置２による鑑別結果が正常であった紙幣は搬送路６および６ｄを経て一時保留部３に搬送される。一方、鑑別装置２による鑑別結果が正常であった紙幣は、搬送路６ｃおよび６ｍを経てリジェクトカセット５に集積される。
【００４２】
その後、一時保留部３から紙幣カセット４ａ〜４ｄのうちの移動先の紙幣カセットに紙幣が搬送される。具体的には、一時保留部３から紙幣が１枚ずつ分離され、分離された紙幣は搬送路６ｄおよび６ｃを経て鑑別装置２に搬送される。そして、鑑別装置２による鑑別結果が正常であった紙幣は、搬送路６ｂ、６ｆ〜６ｋを経て移動先の紙幣カセットに集積される。一方、鑑別装置２による鑑別結果が異常であった紙幣は、搬送路６ｇおよび６ｌを経てリジェクトカセット５に集積される。
【００４３】
続いて、図３および図４を参照し、出金取引の流れを説明する。図３および図４は、出金取引の流れを示した説明図である。図３および図４に示したように、出金取引においては、まず、顧客により指定された金額に応じて紙幣カセット４ａ〜４ｄから紙幣が１枚ずつ分離され、分離された紙幣は搬送路６ｇ〜６ｋおよび６ｂを経て鑑別装置２に搬送される。
【００４４】
そして、鑑別装置２による鑑別結果が正常であった紙幣は、図３に示したように搬送路６ｃよび６ｅを経て接客部１に集積される。一方、鑑別装置２による鑑別結果が異常であった紙幣、すなわち、顧客に支払いできない紙幣は、図４に示したように、搬送路６ｃおよび６ｍを経てリジェクトカセット５に集積される。
【００４５】
（リジェクトカセット５）
以上、自動取引装置１０による基本動作について説明した。続いて、自動取引装置１０のリジェクトカセット５について説明する。
【００４６】
リジェクトカセット５は、リジェクトカセット５内に集積された紙幣を圧迫する集積機構、およびリジェクトカセット５内の空き容量を検知するためのセンサを有する。本実施形態では、集積機構の一例として、回転する舌片により集積する紙幣を圧迫する集積機構を用いる。また、本実施形態では、空き容量を検知するためのセンサの一例として、ニア満杯位置における紙幣の有無を検知するセンサ（ニア満杯センサ）を用いる。以下、リジェクトカセット５の詳細な構成について、図５を参照して説明する。
【００４７】
図５は、リジェクトカセット５の概略断面図である。図５に示すように、リジェクトカセット５は、紙幣を集積する集積機構５１、ビルストッパー５２、ステージ５３、ニア満杯センサ５７およびセンサ５９を備える。
【００４８】
集積機構５１は、図５に示すように、リジェクトカセット５の集積方向上流であって、搬送路から紙幣が搬送される搬送口に設けられ、回転部材５５および回転部材５５の外周面に設けられた複数の舌片５４を有する。回転部材５５は、リジェクトカセット５に紙幣を搬送する搬送路６ｍまたは６Ｉ（図２参照）の搬送モータが回転している場合に回転する。舌片５４は、回転部材５５と同軸上であって、すなわち回転部材５５の外周面から半径方向に突出するよう設けられる。また、舌片５４は、天然ゴムや合成ゴム等の弾性材料または羽部材などによって形成される。
【００４９】
このような集積機構５１は、搬送路６ｍまたは６Ｉの搬送モータが回転する際に回転し、搬送された紙幣の後端を舌片５４で叩いて集積する。
【００５０】
ビルストッパー５２は、図５に示すように、リジェクトカセット５の集積方向上流であって、搬送路から紙幣が搬送される搬送口と対向する側に設けられ、搬送される紙幣の前端が当たる。
【００５１】
ステージ５３は、紙幣が集積される台であって、集積する紙幣の重さで下がる。
【００５２】
ニア満杯センサ５７は、リジェクトカセット５内の所定位置における紙幣の有無を検知する。本実施形態によるニア満杯センサ５７は、図５に示すように、リジェクトカセットの集積方向上流のニア満杯の位置に紙幣があるか否かを検知する光学式センサである。なお、ニア満杯センサ５７が出力するセンサ情報は、リジェクトカセット５の空き容量を判断するために用いられる。リジェクトカセット５の空き容量判断の詳細については後述する。
【００５３】
センサ５９は、搬送路に設けられ、リジェクトカセット５に搬送される紙幣の個別情報を取得し、制御部１５に出力する。センサ５９が取得した個別情報に基づいて、制御部１５はリジェクトカセット５の有高を確定する。
【００５４】
このような構成を有するリジェクトカセット５において、搬送口から搬送された紙幣の前端がビルストッパーに当たり、該紙幣の後端が舌片５４により上から叩かれることで、紙幣がステージ５３上に集積される。そして、ステージ５３に紙幣が集積され続けると、ステージ５３は集積される紙幣の重さに応じて下がる。また、ステージ５３集積された紙幣がニア満杯センサ５７の光軸を遮ることにより（遮光状態）、ニア満杯が検知される。
【００５５】
このようなリジェクトカセット５には、上述したように、出金に利用できない金種の紙幣の他、折れ紙幣、スキュー紙幣などが集積されるので、折れや曲がりが大きい紙幣が重なることによりニア満杯が誤検知される（空き容量の判断が誤る）場合がある。
【００５６】
そこで、上記事情を一着眼点にして本発明の各実施形態による自動取引装置１０を創作するに至った。本発明の各実施形態による自動取引装置１０は、リジェクトカセット５の空き容量の判断をより正確に行うことが可能である。これにより、空き容量の誤判断を防ぎ、オペレータによるリジェクトカセット交換の頻度を下げることができる。以下、このような本発明の各実施形態について詳細に説明する。
【００５７】
なお、下記の各実施形態においては、紙幣集積部の所定位置における紙幣の有無を検知するセンサの一例として、光学式のニア満杯センサを用いて説明するが、本実施形態によるリジェクトカセット５の構成はこれに限られない。例えば、光学式の満杯センサを用いてもよいし、光学式のニア満杯センサおよび満杯センサを用いてもよいし、光学式以外の満杯／ニア満杯センサであってもよい。
【００５８】
＜３．第１の実施形態＞
本発明の第１の実施形態では、ニア満杯センサ５７による検知結果と、舌片５１が回転しているか否かを考慮することで、より正確に空き容量を判断する自動取引装置１０を提案する。以下、図６および図７を参照して本実施形態について説明する。
【００５９】
図６は、ニア満杯の誤検知について説明するための図である。図６の左側に示すように、折れや曲がりが大きい紙幣が重なることにより、実際はまだ紙幣を集積できる空間（空き容量）があるにも関わらず、ニア満杯センサ５７が遮光される。しかし、図６の右側に示すように、舌片５１が回転して紙幣を押さえると、ニア満杯センサ５７が通光する。このように、舌片５１が停止中に紙幣の曲がり等によりニア満杯センサ５７が一時的に遮光状態になっても、舌片５１が回転することによりニア満杯センサ５７が通光状態になる。
【００６０】
また、折れや曲がりの少ない紙幣でも、停止した舌片５１に引っかかり、ニア満杯センサ５７が一時的に遮光状態になる場合がある。このような場合も、舌片５１が回転することにより、引っかかっていた紙幣が押さえられ、ニア満杯センサ５７が通光状態になる。
【００６１】
本実施形態による自動取引装置１０は、このような状態を考慮してより正確にリジェクトカセット５の空き容量を判断する。以下、本実施形態によるニア満杯判断の動作処理について説明する。
【００６２】
（第１の実施形態の動作フロー）
図７は、本発明の第１の実施形態による自動取引装置１０のニア満杯判断処理を示すフローチャートである。図７に示したように、まず、制御部１５は、舌片５１が回転中に（Ｓ１０２）、ニア満杯センサ５７が遮光状態になった場合（Ｓ１０４）、ニア満杯センサ遮光時間を更新する（Ｓ１０８）。
【００６３】
制御部１５は、ニア満杯センサの遮光状態が一定時間経つまで（Ｓ１１０）、Ｓ１０４〜Ｓ１１０を繰り返する。ここで、制御部１５は、ニア満杯センサ５７が通光状態になった場合（Ｓ１０４）、ニア満杯センサ遮光時間を０クリアする（Ｓ１０６）。例えば、舌片５１が回転して折れや曲がりの大きい紙幣を押さえ、ニア満杯センサ５７が通光状態なった場合、ニア満杯センサ遮光時間が０クリアされるので、ニア満杯の誤判断を防ぐことができる。
【００６４】
そして、制御部１５は、ニア満杯センサの遮光状態が一定時間経った場合（Ｓ１１０）、リジェクトカセット５の状態がニア満杯であると判断する。
【００６５】
以上説明したように、本発明の第１の実施形態により自動取引装置１０は、舌片５１が回転して紙幣を押さえている状態で、一定時間にわたってニア満杯センサ５７により遮光状態が検知された場合、ニア満杯と判断する。このように、ニア満杯センサ５７からの検知結果に加えて、紙幣を押さえる機能を有する舌片５１が回転中か否かを考慮することで、より正確にリジェクトカセット５の空き容量を判断することが可能になる。
【００６６】
＜４．第２の実施形態＞
続いて、本発明の第２の実施形態を説明する。上記本発明の第１の実施形態では、舌片５４が回転中にニア満杯センサ５７から得られる検知結果に基づいてリジェクトカセット５の空き容量の判断を行っていた。ここで、リジェクトカセット５に搬送されるリジェクト紙幣に折れや曲がりの強い紙幣が含まれていた場合、図８に示すように、舌片５４の回転が停止すると、押さえられていたこれらの紙幣が舌片５４を押し上げてニア満杯センサ５７を遮光してしまうことがあった。
【００６７】
図８は、舌片５４の回転が停止することによる集積紙幣１４の高さの変化を説明するための図である。図８の左側に示すように、舌片５４回転中は、集積紙幣１４が舌片５４により圧迫されニア満杯センサ５７が通光する。しかし、舌片５４が停止した場合に、集積紙幣１４の折れや曲がりの状態によっては、図８の右側に示すように集積紙幣１４がふくらみ、舌片５４を押し上げてニア満杯センサ５７を一時的に遮光する場合がある。
【００６８】
このような場合に、通常の空き容量判断では、実際は空き容量があるにもかかわらず、ニア満杯が検知されたことのみをもって、ニア満杯と判断していた。そこで、本発明の第２の実施形態では、ニア満杯センサ５７がニア満杯位置において紙幣を検知している間にリジェクトカセット５に搬送される紙幣の枚数に基づいて、空き容量を判断する自動取引装置１０を提案する。
【００６９】
（第２の実施形態の動作フロー）
図９は、上述した第２の実施形態による自動取引装置１０の空き容量判断処理を示すフローチャートである。制御部１５は、一定時間毎に図９に示す空き容量判断処理を行う。
【００７０】
図９に示したように、まず、ニア満杯センサ５７が遮光状態の場合に（Ｓ１２２）、制御部１５は、リジェクトカセット５に搬送され集積される紙幣の枚数をカウントし、紙幣の枚数が第１の規定枚数を上回るか否か判断する（Ｓ１２６）。制御部１５は、カウントする紙幣の計数を記憶部１７に保存する。
【００７１】
ここで、リジェクトカセット５に紙幣が搬送されるときに実行されるカウント処理のフローを図１０に示す。図１０に示すように、制御部１５は、リジェクトカセット５に搬送される紙幣の個別情報に基づいて、リジェクトカセット５の有高を更新する（Ｓ１３２）。かかる個別情報は、リジェクトカセット５へ紙幣を搬送する搬送路に設けられたセンサ５９により取得され、制御部１５は、新たに紙幣が搬送された場合に新たに取得される個別情報に基づいて記憶部１７に保存したリジェクトカセット５の有高を更新する。
【００７２】
続いて、ニア満杯センサ５４が遮光状態の場合にリジェクトカセット５に紙幣が搬送された場合も、制御部１５は、センサ５９により取得された個別情報に基づいてリジェクトカセット５に集積される紙幣をカウントし、有高に加算する（Ｓ１３４）。
【００７３】
次に、図１０のフローに示すＳ１２６に戻る。制御部１５は、ニア満杯センサ５７が遮光状態中に集積された紙幣の枚数が第１の規定枚数を上回る場合（Ｓ１２６／Ｙｅｓ）、リジェクトカセット５がニア満杯であると判断する。
【００７４】
ここで、ニア満杯センサ５７が遮光状態中にリジェクトカセット５に集積される紙幣によって集積紙幣１４の高さが変化することについて図１１を参照して説明する。図１１の左側に示すように、集積紙幣１４の折れや曲がりが大きい場合、集積紙幣１４がふくらみ、舌片５４を押し上げてニア満杯センサ５７を遮光する。しかし、ふくらんだ集積紙幣１４の上から新たに紙幣が集積されると、紙幣の重みで集積紙幣１４の折れや曲がりが圧迫され、図１１の右側に示すようにニア満杯センサ５７が通光状態になる場合がある。
【００７５】
よって、制御部１５は、ニア満杯センサ５７が遮光状態中にリジェクトカセット５に集積された紙幣の枚数が規定枚数（第１の規定枚数）を上回ってからニア満杯と判断することで、空き容量の判断をより正確に行うことが可能になる。
【００７６】
一方、制御部１５は、ニア満杯センサ５７が遮光状態中に集積される紙幣の枚数が第１の規定枚数を上回らなかった場合は（Ｓ１２６／Ｎｏ）、処理を終了する。
【００７７】
また、Ｓ１２２において、ニア満杯センサ５７が通光状態の場合は、ニア満杯センサ５７が遮光状態中にカウントした枚数を０クリアする。
【００７８】
以上説明したように、第２の実施形態による自動取引装置１０は、ニア満杯センサ５７が紙幣を検知している間に搬送された紙幣の枚数に基づいて空き容量を判断することで、空き容量の判断をより正確に行うことが可能になる。
【００７９】
＜５．第３の実施形態＞
続いて、本発明の第３の実施形態を説明する。第１の実施形態および第２の実施形態によれば、折れや曲がりの大きい紙幣により膨らんだ集積紙幣１４を舌片５４の回転や新たな紙幣の集積によって圧迫した上で、ニア満杯センサ５７による検知結果に応じて空き容量を判断していた。ここで、リジェクトカセット５に少数枚しか集積されていない状態でも、紙幣の折れや曲がりの状態によっては、ニア満杯センサを遮光する場合がある。そこで、本発明の第３の実施形態では、リジェクトカセット５に集積されている紙幣の総枚数が規定枚数（第２の規定枚数）を上回った場合に、制御部１５により空き容量の判断処理を開始する。これにより、リジェクトカセット５に集積されている紙幣の総枚数が明らかに少ない場合にニア満杯を誤検知することを防ぐことが可能になる。
【００８０】
規定枚数（第２の規定枚数）は、集積される紙幣に若干の厚みや折れ等があっても集積紙幣の高さがニア満杯の位置よりは低くなると予想される枚数が予め設定される。例えば、リジェクトカセット５に集積可能な枚数の８割に設定される。このように設定された規定枚数（第２の規定枚数）の数値は、記憶部１７に保存される。
【００８１】
（第３の実施形態の動作フロー）
図１２は、上述した第３の実施形態による自動取引装置１０の空き容量判断処理を示すフローチャートである。図１２に示したように、まず、制御部１５は、リジェクトカセット５に集積された紙幣の総枚数が、第２の規定枚数を上回ったか否かを判断する（Ｓ１４２）。
【００８２】
総枚数が第２の規定枚数を上回った場合（Ｓ１４２／Ｙｅｓ）、制御部１５は、空き容量判断処理を開始する。図１２に示す例では、第１の実施形態による空き容量判断処理（Ｓ１０２〜Ｓ１１２）と同様の処理（Ｓ１４４〜Ｓ１５４）を行うので、ここでの説明は省略する。
【００８３】
なお、リジェクトカセット５に集積された紙幣の総枚数が規定枚数を上回った場合におけるニア満杯の誤検知について図１３を参照して説明する。図１３の左側に示すように、集積紙幣１４の総枚数が第２の規定枚数を上回った場合に、折れや曲がりが大きい紙幣が重なることにより、集積紙幣１４が膨らみ、ニア満杯センサ５７が遮光される。しかし、図６の右側に示すように、舌片５４が回転して紙幣を押さえることで、ニア満杯センサ５７が通光し、制御部１５は空き容量があると判断できる。
【００８４】
よって、制御部１５は、舌片５４が回転中に、ニア満杯センサ５７が一定時間にわたって遮光状態である場合にニア満杯と判断することで、空き容量の判断をより正確に行うことが可能になる。
【００８５】
このように、第３の実施形態では、リジェクトカセット５に集積されている紙幣の総枚数が規定枚数を上回ってから空き容量の判断を開始することで、ニア満杯の誤検知を防ぐことが可能になる。
【００８６】
＜６．第４の実施形態＞
上記第３の実施形態では、リジェクトカセット５に集積された紙幣の総枚数が第２の規定枚数を上回った場合に、第１の実施形態で説明した空き容量判断処理を開始する自動取引装置１０を提案した。本発明の第４の実施形態では、リジェクトカセット５に集積された紙幣の総枚数が第２の規定枚数を上回った場合に、第２の実施形態で説明した空き容量判断処理を開始する自動取引装置１０を提案する。
【００８７】
（第４の実施形態の動作フロー）
図１４は、上述した第４の実施形態による自動取引装置１０の空き容量判断処理を示すフローチャートである。図１４に示したように、まず、制御部１５は、リジェクトカセット５に集積された紙幣の総枚数が、第２の規定枚数を上回ったか否かを判断する（Ｓ１６２）。
【００８８】
総枚数が第２の規定枚数を上回った場合（Ｓ１６２／Ｙｅｓ）、制御部１５は、空き容量判断処理を開始する。図１４に示す例では、第２の実施形態による空き容量判断処理（Ｓ１２２〜Ｓ１２８）と同様の処理（Ｓ１６４〜Ｓ１７０）を行うので、ここでの説明は省略する。
【００８９】
また、リジェクトカセット５に紙幣が搬送されるときに制御部１５によりカウント処理が実行される。かかるカウント処理のフローを図１５に示すが、図１５に示すＳ１８２およびＳ１８４は、第２の実施形態によるカウント処理（Ｓ１３２およびＳ１３４）と同様であるので、ここでの詳細な説明は省略する。
【００９０】
なお、リジェクトカセット５に集積された紙幣の総枚数が第２の規定枚数を上回った場合におけるニア満杯の誤検知について図１６を参照して説明する。図１６の左側に示すように、集積紙幣１４の折れや曲がりが大きい場合、集積紙幣１４がふくらみ、舌片５４を押し上げてニア満杯センサ５７を遮光する。しかし、ふくらんだ集積紙幣１４の上から新たに紙幣が集積されると、紙幣の重みで集積紙幣１４の折れや曲がりが圧迫され、図１６の右側に示すようにニア満杯センサ５７が通光し、制御部１５は空き容量があると判断できる。
【００９１】
よって、制御部１５は、ニア満杯センサ５７が遮光状態中にリジェクトカセット５に集積された紙幣の枚数が第１の規定枚数を上回ってからニア満杯と判断することで、空き容量の判断をより正確に行うことが可能になる。
【００９２】
このように、第４の実施形態では、リジェクトカセット５に集積されている紙幣の総枚数が規定枚数を上回ってから空き容量の判断を開始することで、ニア満杯の誤検知を防ぐことが可能になる。
【００９３】
＜７．まとめ＞
以上説明したように、本発明の第１の実施形態によれば、舌片５１が回転して紙幣を押さえている状態で、一定時間にわたってニア満杯センサ５７により遮光状態が検知された場合、ニア満杯と判断する。このように、ニア満杯センサ５７からの検知結果に加えて、紙幣を押さえる機能を有する舌片５１が回転中か否かを考慮することで、より正確にリジェクトカセット５の空き容量を判断することが可能になる。
【００９４】
また、本発明の第２の実施形態によれば、ニア満杯センサ５７が紙幣を検知している間に搬送された紙幣の枚数に基づいて空き容量を判断することで、空き容量の判断をより正確に行うことが可能になる。
【００９５】
また、本発明の第３の実施形態によれば、リジェクトカセット５に集積されている紙幣の総枚数が規定枚数を上回ってから第１の実施形態に示す空き容量判断処理を開始することで、ニア満杯の誤検知を防ぐことが可能になる。
【００９６】
また、本発明の第４の実施形態によれば、リジェクトカセット５に集積されている紙幣の総枚数が規定枚数を上回ってから第２の実施形態に示す空き容量判断処理を開始することで、ニア満杯の誤検知を防ぐことが可能になる。
【００９７】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９８】
例えば、上述した各実施形態では、特に、自動取引装置１０における出金取引においてリジェクトされた紙幣が集積されるリジェクトカセット５の空き容量の判断について説明したが、本発明による空き容量の判断はこれに限られない。例えば、本発明は、自動取引装置１０における入金取引において顧客により入金された紙幣が集積される紙幣カセット４ａ〜４ｄの空き容量の判断に適用してもよい。
【００９９】
また、本明細書の自動取引装置１０の処理における各ステップは、必ずしもフローチャートとして記載された順序に沿って時系列に処理する必要はない。例えば、自動取引装置１０の処理における各ステップは、フローチャートとして記載した順序と異なる順序で処理されても、並列的に処理されてもよい。
【０１００】
また、自動取引装置１０に内蔵されるＣＰＵ、ＲＯＭおよびＲＡＭなどのハードウェアを、上述した自動取引装置１０の制御部１５と同等の機能を発揮させるためのコンピュータプログラムも作成可能である。また、該コンピュータプログラムを記憶させた記憶媒体も提供される。
【符号の説明】
【０１０１】
１      接客部
２      鑑別装置
３      一時保留部
４ａ〜４ｍ  紙幣カセット
５      リジェクトカセット
６ａ〜６ｍ  搬送路
１０    自動取引装置
１２    専用網
１３    紙幣処理機構
１４    顧客操作表示部
１５    制御部
１６    通帳挿入口
１８    カード挿入口
１９    接客口
２０    金融機関ホスト
【図１】
0005760791.tif 000002
【図２】
0005760791.tif 000003
【図３】
0005760791.tif 000004
【図４】
0005760791.tif 000005
【図５】
0005760791.tif 000006
【図６】
0005760791.tif 000007
【図７】
0005760791.tif 000008
【図８】
0005760791.tif 000009
【図９】
0005760791.tif 000010
【図１０】
0005760791.tif 000011
【図１１】
0005760791.tif 000012
【図１２】
0005760791.tif 000013
【図１３】
0005760791.tif 000014
【図１４】
0005760791.tif 000015
【図１５】
0005760791.tif 000016
【図１６】
0005760791.tif 000017